(57)【要約】【課題】従来の構造よりもさらにコストダウンを図ることが可能なヒートポンプ用モータ取付部材を提供する。【解決手段】支持脚部４は、モータリード線Ｌの配置される縦溝部９を有する。縦溝部９の側壁板９aには、変形させることで上記縦溝部９の開口を閉鎖してモータリード線Ｌの抜け出しを防止する係止片１０が一体に形成されており、係止片１０が、打ち抜き前のプレート素材において、水平支持部６に食い込む態様で板取りされている。係止片１０は、上記側壁板９ａから狭隘部１１を介して外方へ突設され、上記係止片１０を、狭隘部１１を軸として捩じり変形させることにより上記縦溝部９の開口部を閉鎖する。【選択図】図４
2010127578.tif 000002
【特許請求の範囲】
【請求項１】
上下方向に延びると共に、その下端側が室外ケース（２）側に取り付けられる少なくとも１本の支持脚部（４）と、支持脚部（４）に支持されたモータ取付部（５）と、支持脚部（４）の上端部に架設され、水平方向に延びると共に、その一方端側が前面ケース（２）と熱交換器（７）とのいずれか一方側に支持される水平支持部（６）とを有し、これら各部が一枚のプレートから打ち抜かれると共に、一体に成形されており、上記支持脚部（４）は、モータリード線（Ｌ）の配置される縦溝部（９）を有し、上記縦溝部（９）の側壁板（９a）には、変形させることで上記縦溝部（９）の開口を閉鎖してモータリード線（Ｌ）の抜け出しを防止する係止片（１０）が一体に形成されており、この係止片（１０）が、打ち抜き前のプレート素材において、上記水平支持部（６）に食い込む態様で板取りされているヒートポンプ用モータ取付部材において、上記係止片（１０）は、上記側壁板（９ａ）から狭隘部（１１）を介して外方へ突設され、上記係止片（１０）を、狭隘部（１１）を軸として捩じり変形させることにより上記縦溝部（９）の開口部を閉鎖するように構成されていることを特徴とするヒートポンプ用モータ取付部材。
【請求項２】
上記係止片（１０）には、上記狭隘部（１１）から係止片（１０）とは反対方向に延びて、捩じり変形させた際に、反開口部側へと外方に突出する操作片（１２）が連設されていることを特徴とする請求項１のヒートポンプ用モータ取付部材。
【請求項３】
上記縦溝部（９）は、断面コ字状に形成されていることを特徴とする請求項１又は２のヒートポンプ用モータ取付部材。
【請求項４】
一方端側が前面ケース（２）と熱交換器（７）とのいずれか他方側に支持される水平支持片（８）を、上記水平支持部（６）に一体的に連設にしていることを特徴とする請求項１〜３のいずれかのヒートポンプ用モータ取付部材。
【発明の詳細な説明】
【技術分野】
【０００１】
この発明は、ヒートポンプ用モータ取付部材、詳しくはヒートポンプの室外機（熱源機）に用いるモータ取付部材に関するものである。
【背景技術】
【０００２】
まず、ヒートポンプ用モータ取付部材１の概要について、本発明の実施形態である図１及び図２に基づいて説明する。同図に示すように、モータ取付部材１は、ヒートポンプにおいて、圧縮機、室外熱交換器、室外ファンと共にケース２内に収納されるものであって、室外熱交換機の前方において室外ファンモータ３を支持するためのものである。なお、図２において、（ａ）は正面図、（ｂ）は側面図、（ｃ）は背面図である。図のように、モータ取付部材１は、上下方向に延びると共に、その下端側が室外ケース２の底面２ａに取り付けられる一対の支持脚部４、４と、両支持脚部４、４に架設されたモータ取付部５とを有している。また、支持脚部４、４の上端部には、水平方向に延びると共に、その先端側が前面ケース２ｂに支持される水平支持部６と、水平支持部６とは反対側に水平方向に延びて、その先端側が室外熱交換器７に支持される水平支持片８とを有している。そして、これら各部が一枚のプレートから打ち抜かれると共に、一体に成形されている。
【０００３】
上記モータ取付部材１においては、室外ファンモータ３を取り付けた状態において、モータリード線Ｌが回転するファンの接触するのを防止するため、モータリード線Ｌをモータ取付部材１に固定しておく必要がある。そのため、上記支持脚部４（少なくとも１本の支持脚部４）は、モータリード線Ｌが収納、配置される縦溝部９を有している。この縦溝部９は断面コ字状のもので、後方（室外熱交換器７側）向けて開口している。そして、図７に示すように、上記縦溝部９の側壁板９ａ（支持脚部４の一部で、後方に折曲された部分）には、モータリード線Ｌの抜け出しを防止する係止片２０が一体に形成されている。そして、この係止片２０を変形させることで上記縦溝部９の開口を閉鎖してモータリード線Ｌの抜け出しを防止している。この係止片２０は、上記側壁板９ａから狭隘部２１を介して外方へ突設されており、係止片２０を狭隘部２１において、側壁板９ａとは直角に折り曲げることにより上記縦溝部９ａの開口部を閉鎖して、モータリード線Ｌを支持するように構成されている。このような構造は、例えば、特許文献１に記載されている。
【特許文献１】特開２００１−１９３９６９号公報
【発明の開示】
【発明が解決しようとする課題】
【０００４】
ところで、上記のような構造のヒートポンプ用モータ取付部材においては、強度や機能を同一にしたままで、さらにコストダウンを図ることがつよく要請されている。
【０００５】
この発明は、上記従来の欠点を解決するためになされたものであって、その目的は、上記従来の構造よりもさらにコストダウンを図ることが可能なヒートポンプ用モータ取付部材を提供することにある。
【課題を解決するための手段】
【０００６】
そこで、この発明のヒートポンプ用モータ取付部材は、上下方向に延びると共に、その下端側が室外ケース２側に取り付けられる少なくとも１本の支持脚部４と、支持脚部４に支持されたモータ取付部５と、支持脚部４の上端部に架設され、水平方向に延びると共に、その一方端側が前面ケース２と熱交換器７とのいずれか一方側に支持される水平支持部６とを有し、これら各部が一枚のプレートから打ち抜かれると共に、一体に成形されており、上記支持脚部４は、モータリード線Ｌの配置される縦溝部９を有し、上記縦溝部９の側壁板９aには、変形させることで上記縦溝部９の開口を閉鎖してモータリード線Ｌの抜け出しを防止する係止片１０が一体に形成されており、この係止片１０が、打ち抜き前のプレート素材において、上記水平支持部６に食い込む態様で板取りされているヒートポンプ用モータ取付部材において、上記係止片１０は、上記側壁板９ａから狭隘部１１を介して外方へ突設され、上記係止片１０を、狭隘部１１を軸として捩じり変形させることにより上記縦溝部９の開口部を閉鎖するように構成されていることを特徴としている。
【０００７】
また、上記係止片１０には、上記狭隘部１１から係止片とは反対方向に延びて、捩じり変形させた際に、反開口部側へと外方に突出する操作片１２が連設されている。
【０００８】
さらに、上記縦溝部９は、断面コ字状に形成されている。加えて、一方端側が前面ケース２と熱交換器７とのいずれか他方側に支持される水平支持片８を、上記水平支持部６に一体的に連設にしている。
【発明の効果】
【０００９】
この発明のヒートポンプ用モータ取付部材では、従来よりも効率のよい板取りを行えるので、材料費を低減でき、コストダウンを図ることができる。また、モータ取付部材の上端部を、ケース２側と室外熱交換器７側との両側で支持しているので、ファンモータ３を安定して支持できる。
【発明を実施するための最良の形態】
【００１０】
次に、この発明のヒートポンプ用モータ取付部材について、その具体的な実施の形態を、図１〜図５を参照しつつ詳細に説明する。モータ取付部材１の概略構成については、背景技術において説明をしたので、このでは、図２〜図５に基づいて、主として係止片１０について説明する。
【００１１】
まず、図３に示すように、支持脚部４、４の内、１本の支持脚部４には、モータリード線Ｌが収納、配置される縦溝部９が形成されている。この縦溝部９は断面コ字状のもので、後方（室外熱交換器７側）向けて開口している。そして、図３に示すように、上記縦溝部９の側壁板９ａ（支持脚部４の一部を構成するもので、後方に折曲された内側の部分）には、モータリード線Ｌの抜け出しを防止する係止片１０が一体に形成されている。この係止片１０は、上記側壁板９ａから狭隘部１１を介して外方へ突設されている。そして、係止片１０には、上記狭隘部１１から係止片１０とは反対方向に延びる操作片１２が連設されている。
【００１２】
図３及び図４には、縦溝部９内にモータリード線Ｌを収納し、係止部１０を変形させる前の状態を示しているが、この状態から、図５に示すように、係止片１０を、狭隘部１１を軸として捩じり変形させる（図４の矢線方向に捩じる）ことにより上記縦溝部９の開口部を閉鎖する。すなわち、係止片１０の先端部を図３の紙面奥方向へと移動させるのである。この結果、縦溝部９の開口部は、係止片１０が斜めに横切り、モータリード線Ｌは、係止片１０の側端面に当接して保持されることになる。このとき、操作片１２は、縦溝部９の開口部から斜めに突出した状態となる。なお、この操作片１２は省略して実施することも可能ではあるが、この操作片１２は、係止片１０を元の状態（捩じり変形前の状態）に復帰させるときに、取っ手として機能して復帰操作が行い易くなるので、図のように、設けておくのが好ましい。
【００１３】
次に、上記実施形態のモータ取付部材１が、従来のものよりもコスト的に優れる理由について説明する。図６には、モータ取付部材１の展開図（板取り構造図）を示している。同図（ａ）は実施形態に係るモータ取付部材の展開図、（ｂ）は従来例におけるモータ取付部材の展開図である。まず、従来のものにおいては、図７に示すように、係止片２０は、縦溝部９の略全幅Ｂを覆う寸法であり、従って、図６（ｂ）に示すように、係止片２０は、水平支持部６の内側に、縦溝部９の全幅Ｂに見合うだけ、すなわち寸法Ｄ２だけ突出し、この分だけ水平支持部６内に食い込む（侵入する）ことになる。そして、水平支持部６での必要強度を確保するため、水平支持部６の最狭部にはそれに見合うだけの幅Ａが必要である。この結果、水平支持部９を構成するためには、Ａ＋Ｄ２に応じた板幅Ｗ２が必要である。
【００１４】
それに対して、実施形態においては、係止片１０は、縦溝部９の開口部を斜めに横切るため（図５）、係止片１０は、縦溝部９の略全幅Ｂを覆う寸法である必要はない。従って、図６（ａ）に示すように、係止片１０の水平支持部６内への突出寸法Ｄ１は、従来例の寸法Ｄ２よりも小さくなり（上下方向の長さ寸法は大きくなるが）、この分だけが水平支持部６内に食い込む（侵入する）ことになる。そして、上記同様に、水平支持部６での必要強度を確保するため、水平支持部６の最狭部にはそれに見合うだけの幅Ａが必要である。この結果、水平支持部９を構成するためには、Ａ＋Ｄ１に応じた板幅Ｗ１が必要である。
【００１５】
そして、この実施例の係止片１０の突出寸法Ｄ１が、従来例の係止片２０の突出寸法Ｄ２よりも小さいために、モータ取付部材１を構成するプレートの幅Ｗ１は、従来例に要していたプレート幅Ｗ２よりも狭くなる。この結果、プレート素材量が減少し、それに応じたコストダウンを図ることができる。また、この際、係止片１０の機能には全く影響が及ばないので、機能低下の問題は生じない。
【図面の簡単な説明】
【００１６】
【図１】この発明のヒートポンプ用モータ取付部材の実施形態の概略構造を示す斜視図図である。
【図２】上記実施形態を示す図で、（ａ）は正面図、（ｂ）は側面図、（ｃ）は背面図である。
【図３】上記実施形態における要部（係止片）を示す拡大側面図である。
【図４】上記実施形態における要部（係止片）を示す拡大斜視図である。
【図５】上記実施形態における要部（係止片）の係止片変形後の状態を示す拡大側面図である。
【図６】上記実施形態及び従来例の展開図で、（ａ）は実施形態、（ｂ）は従来例を示している。
【図７】従来例の要部（係止片）の展開図である。
【符号の説明】
【００１７】
１・・ヒートポンプ用モータ取付部材、２・・室外ケース、４・・支持脚部、５・・モータ取付部、６・・水平支持部、７・・室外熱交換器、８・・水平支持片、９・・縦溝部、１０・・係止片、１１・・狭隘部、１２・・操作片
【図１】
2010127578.tif 000003
【図２】
2010127578.tif 000004
【図３】
2010127578.tif 000005
【図４】
2010127578.tif 000006
【図５】
2010127578.tif 000007
【図６】
2010127578.tif 000008
【図７】
2010127578.tif 000009